(57)【要約】  【課題】  【解決手段】  競技場で使用する障害物デバイス（１２）は、人の頭部と胴の前側プロファイルと略同じ形状のフレームでできている。このフレームは、細長支持部材（１６）と、前記支持部材（１６）に連結されている、弾力的で、フレキシブルなフープの形状のフレーム部材（６４）を具える。フレームは、また、ヘッドピース（５４）を具えていても良い。フレーム部材（６４）は、拡張したフレーム領域を規定する拡張した形状を有する。フレーム部材（６４）は、拡張したフレーム領域より小さく折りたたんだフレーム領域を規定する、折りたたんだ形状に、弾力的に変形可能である。ファブリック材料（７０）層が、フレーム部材（６４）に取り付けられており、フレーム部材（６４）が拡張した形状にあるときに、フレームによってファブリック材料が広げられる。【選択図】    図１
2007515226.tif 000002
【特許請求の範囲】
【請求項１】
競技場で使用する障害物デバイスにおいて：
ベースと；
人の頭部および胴の前側プロファイルと略同じ形状をした、前記ベースに連結されたフレームであって、支持部材に連結された弾力的で、フレキシブルなフープと、拡張したフレーム領域を規定する拡張した形状を有するフレーム部材であって、前記拡張されたフレーム領域より小さく折りたたんだフレーム領域を規定する折りたたんだ形状に弾力的に変形可能なフレーム部材を具えるフレームと；
前記フレームに取り付けたファブリック材料層であって、当該ファブリック材料が前記フレーム部材が拡張した形状にあるときに前記フレームによって広げられるファブリック材料層と；
を具えることを特徴とするデバイス。
【請求項２】
請求項１に記載のデバイスにおいて：
前記フレームが前記支持部材に連結されたヘッドピースを具え；
当該ヘッドピースと前記拡張されたフレーム部材が、人の頭部および胴の前側プロファイルと略同じ形状であるヘッドピースと；
を具えることを特徴とするデバイス。
【請求項３】
請求項１に記載のデバイスにおいて：
前記ベースが、地中または競技場の支持媒体に差し込む支柱部材を具え、前記フレームが前記ベースに連結されており、前記フレームがほぼ直立した状態で前記ベースに保持されることを特徴とするデバイス。
【請求項４】
請求項１に記載のデバイスにおいて：
前記フレームが細長支持部材を具えており、前記フレーム部材が前記支持部材に連結していることを特徴とするデバイス。
【請求項５】
請求項１に記載のデバイスにおいて：
前記細長支持部材が、互いに開放可能に係合する二つのセクションでできていることを特徴とするデバイス。
【請求項６】
請求項２に記載のデバイスにおいて：
前記ヘッドピースが筒状部材の形をしたネックを具え、前記支持部材が筒状部材を具え、前記ヘッドピースと支持部材である筒状部材のうちの一方が、前記ヘッドピースが前記支持部材に連結されるときに、別の部材に挿入される、ことを特徴とするデバイス。
【請求項７】
請求項１に記載のデバイスにおいて：
前記ベースが弾性部材を具え、前記ベースに対してフレームをよりフレックスにしていることを特徴とするデバイス。
【請求項８】
競技場で使用する障害物デバイスにおいて：
ベースと；
互いに開放可能に係合する少なくとも二つの部分で形成されている細長支持部材であって、当該支持部材が前記ベースに連結されており、前記支持部材がベースに連結されているときにほぼ直立した状態で保持されている支持部材と；
人の頭部及び胴の前側プロファイルと略同じ形状をしたフレームであって、前記支持部材に取り外し可能に連結された弾力的で、フレキシブルなフープ形状を有し、拡張したフレーム領域を規定する拡張した形状を有し、当該拡張したフレーム領域より小さく折りたたんだフレーム領域を規定する折りたたんだ形状に弾性的に変形可能なフレーム部材を具えるフレームと；
前記フレーム部材に取り付けたファブリック材料層であって、当該ファブリック材料が前記フレームが拡張した形状にあるときに前記フレームによって広げられるファブリック材料層と；
を具えることを特徴とするデバイス。
【請求項９】
請求項８に記載のデバイスにおいて：
前記フレームが、前記支持部材に連結されたヘッドピースを具え；
当該ヘッドピースと前記拡張したフレーム部材が、人の頭部及び胴の前側プロファイルと略同じ形状であること；
を特徴とするデバイス。
【請求項１０】
請求項８に記載のデバイスにおいて：
前記支持部材の前記二つの部分が、筒状部材であって、筒状部材が係合する場合に一方の筒状部材が他方に挿入され、前記支持部材が更に、前記筒状部材を互いに開放可能に係止する移動止めを具えることを特徴とするデバイス。
【請求項１１】
請求項１０に記載のデバイスにおいて：
前記筒状部材が、収縮位置と拡張位置間で移動可能な入れ子式の筒状部材であって、収縮位置にあるときに、前記筒状部材の一方の実質的な部分を他方の筒状部材内に収納することを特徴とするデバイス。
【請求項１２】
請求項９に記載のデバイスにおいて、前記ファブリック層が前記ヘッドピースを覆うヘッドピース部を具えることを特徴とするデバイス。
【請求項１３】
請求項１２に記載のデバイスにおいて、前記ヘッドピース部が、前記ヘッドピースを収納するポケットを具えることを特徴とするデバイス。
【請求項１４】
請求項１３に記載のデバイスにおいて、前記ポケットが、折りたたまれた形状にあるときに、前記フレーム部材を収納するような形状をしていることを特徴とするデバイス。
【請求項１５】
請求項９に記載のデバイスにおいて、前記ヘッドピースが、前記支持部材の二つの部分の一方に係合するネックを具えることを特徴とするデバイス。
【請求項１６】
請求項９に記載のデバイスにおいて：
前記ヘッドピースが、前記ヘッドピースの筒状部材の一方を伴う筒状部材の形式のネックを有し、前記ヘッドピースが前記支持部材に連結されるときに、前記二つの筒状部分の一方が他方の筒状部分内に挿入されることを特徴とするデバイス。
【請求項１７】
請求項８に記載のデバイスにおいて：
前記ベースが、地中または競技場の支持媒体内に差し込む支柱部材を具えることを特徴とするデバイス。
【請求項１８】
競技場で使用する障害物デバイスにおいて：
一方の部分を他方に挿入した二つの筒状部分で形成されている細長支持部材であって、前記筒状部分を互いに開放可能に係止する移動どめを有する支持部材と；
地中または競技場の支持媒体内に差し込む支柱部材を有するベースであって、前記支持部材がベースに連結されており、前記支持部材がほぼ直立した状態で保持されている、ベースと；
前記支持部材に取り外し可能に連結された弾力的で、フレキシブルなフープでできたフレーム部材であって、拡張したフレーム領域を規定する拡張した形状を有し、前記拡張したフレーム領域より小さく折りたたんだフレーム領域を規定する折りたたまれた形状に弾力的に変形可能なフレーム部材と；
前記支持部材に連結されたヘッドピースであって、当該ヘッドピースと前記拡張されたフレーム部材が人の頭部と胴の前側プロファイルと略同じ形状をしているヘッドピースと；
前記フレーム部材に取り付けたファブリック材料層であって、当該ファブリック材料が、前記フレームが拡張された形状にあるときに前記フレームによって広げられ、前記ファブリック層が前記ヘッドピースを覆うヘッドピース部を有する、ファブリック層と；
を具えることを特徴とするデバイス。
【請求項１９】
請求項１８に記載のデバイスにおいて：
前記ヘッドピース部が、前記ヘッドピースを収納するポケットを具え、当該ポケットが折りたたまれた形状にあるときに前記フレーム部材を収納するように構成されていることを特徴とするデバイス。
【発明の詳細な説明】
【技術分野】
【０００１】
本発明は、一般的にスポーツ活動用の練習デバイスに関する。
【０００２】
背景
サッカーでは、攻撃側チームに対してある種のファウルがなされた場合、「フリーキック」が与えられることがある。このような場合に、ボールをゴールからある距離において、攻撃側プレーヤに「フリーキック」が許可され、ボールをゴールに蹴り入れようとする試みがなされる。防御側チームのプレーヤは、キッカーからある距離をおいて立ってブロック壁を作るか、あるいはキッカーとゴールの間を邪魔することが許されており、キッカーがゴールするのをより難しくする。
【０００３】
このようなフリーキックの練習中は、このブロック壁を作るために、一人またはそれ以上のキックを行わないプレーヤを使用することがある。しかしながら、これによって、キックを行わないプレーヤはより有益な練習に参加できないことになる。
【０００４】
様々な設計のブロック壁が過去に用いられてきた。これらのデバイスは、折りたたむことができず、すこぶる重いため、扱いにくく、搬送と保存が困難である。
【０００５】
詳細な説明
図１を参照すると、障害物デバイス１２でできたブロック壁１０が、競技場に置かれているサッカーゴール１４の前に配置されて、練習キックの間の障害物として作用している。壁１０は、障害物デバイス１２を横に並べて配置することによって形成されている。プレーヤがデバイスの間を移動するドリブルコース用のスペースを開けた構成、あるいはジグザグ構成など、その他の形状を同様に使用することもできる。壁１０と障害物デバイス１２は、サッカーの練習用に示されているが、このデバイス１２がその他のスポーツおよび活動にも有益であり、適用できることは、当業者には自明であり、特定の使用あるいは活動に限定するべきではない。
【０００６】
図２を参照すると、障害物デバイス１２は、支持部材１６を具えており、これは支持部材１６を競技場に対してほぼ垂直に、あるいは直立した態様で保持するベース１８によって保持されている。
【０００７】
図３を参照すると、ベース１８は、下側に延在する一又はそれ以上の支柱部材２０を具えていても良い。支柱部材（２０）は、ベースクロスバーあるいはベース部材２２を有しており、この部材は支柱部材２０を略横切る方向にある。本実施例に示すように、クロス部材２２はほぼフラットで、矩形の部材であり、単一の支柱部材２０にほぼ直交する平面内に方向付けられており、クロス部材２２の略中央に支柱部材２０がある。しかしながら、クロス部材２２は、別の形状を有していても良い。
【０００８】
支柱部材２０から外側に突出しているクロス部材２２の側部２４は、ユーザが足を載せて、ベース１８の支柱１０を地中、またはその他の支持媒体に挿入しやすくするステップあるいは接触領域として働く。支柱部材２０の端部は、先が尖っているか、あるいはテーパ形状をしており、この挿入を容易にしている。支柱部材または複数の支柱部材２０は、支持される障害物デバイス１２が容易に抜けないように、あるいは通常の使用中に倒されないように十分な距離が突出していなければならない。クロス部材２２は、支柱部材２０の地中への打ち込みあるいは挿入を制限するストップとしても働き、更に、この部材が挿入されたときにベース１８を安定させるものでもある。
【０００９】
クロス部材２２から支柱部材２０に対向して上側に延在しているのは、ベース１８のネック２６である。ネック２６は、内側部材２８と外側部材３０からなる二つのセクションに形成しても良い。内側部材２８は、支柱部材２０から連続して上側に延在する単一ピースであっても良く、支柱の中央部でクロスバー２２に連結している。外側部材３０は内側部材２８を受ける筒状部材であっても良く、溶接３２などにおいて、内側部材に連結されている。外側部材３０は、内側部材２８を越えて上側に延在することができ、支持係合部３４を提供している。支持係合部３４には、移動止め３６またはその他の開放可能な係止デバイスが設けられている。これは、係合部３４の外側面を越えて突出するように外側にバイアスされている、ばね荷重ボール移動止めであっても良い。
【００１０】
代替の実施例において、ベース１８のネック２６は、ばねあるいはその他の弾性部材で形成されているか、あるいはばねあるいはその他の弾性部材を組み込んでいても良く、これによってデバイス１２に衝撃を吸収させ、ベース１８を中心に回動させるかあるいは曲げるようにして、ボールやプレーヤによって衝撃を受けたときにデバイス１２がダメージを受けないようにしている。ばねまたは弾性部材は、衝撃を受けた後あるいは曲がった後、元の位置に戻る。
【００１１】
支持部材１６は、一又はそれ以上の部分で形成されていても良い。図４を参照すると、支持部材１６は、上側及び下側筒状部４０、４２にそれぞれ形成されたものが示されている。下側筒状部材４２の下端は、支持係合部３４にフィットし、ベース１８の外側部材３０をぴったり収納されるサイズである。一またはそれ以上の開口４４が、筒状部材４２の壁に設けられて、移動止め３６を受けて、下側部分４２のベース１８への係止あるいは連結を容易にしている。所望の場合、下側部分４２の長さ方向に沿って、いくつかの開口４４の高さを変えて配置するようにしても良い。
【００１２】
上側部分４０は、筒状部材４６として形成されており、筒状部材４６の下端から延在するより径の小さい筒状部材またはスリーブ４８を有している。筒状部材４６は、筒状部材４２と同じが略近い径を有している。スリーブ４８は、部材４６の下端内に部分的に受けられている。スリーブ４８の一部が筒状部材４６を越えて延在している。筒状部材４８は、ファスナで、あるいは溶接、クリンプ、接合、その他によって、永久的にあるいは非永久的に、筒状部材に連結あるいは締結する。ばね荷重ボール移動止めなどの、移動止め５０あるいはその他の開放可能な係止デバイスがスリーブ４８に設けられている。この移動止めは、外側にバイアスされており、スリーブ４８の外側表面を越えて突出している。
【００１３】
より小さい筒状部材４８は、下側筒状部分４２の下端内にぴったり収納されるサイズである。一又はそれ以上の開口５２が下側部分４２の上端に設けられており、移動止め５０を受けて、上側および下側部分４０、４２の相互係止又は連結を容易にしている。いくつかの開口５２を下側部分４２の上側端部の長さ方向に沿って設けるようにして、筒状部分４０、４２を様々な相対位置に位置決めできるようにしても良い。図に示す実施例では、開口５２と移動止め５０は、筒状部材４６の下端が、下側筒状部分４２上端にほぼ隣接する場合に、互いに係合するように配置されている。
【００１４】
支持部材１６を形成する筒状部材は、筒状部材の内部を通るある長さの弾性コードあるいはバンジーコード（図示せず）によって取り外し可能に互いに連結し、このコードで支持部材１６の最も外側の部材の端部に固着して、筒状部材が取り外されたときに互いにそのままの状態であるようにしてもよい。弾性コードは、また、互いに係合したときに、部材の互いの保持を容易にする。
【００１５】
支持部材１６を形成している筒状部材は、入れ子式の構成にすることもできる。ここでは、一の部材あるいはその部材の実質的な部分が、保存用に別の部材の中に引き込まれる。いくつかの筒状部材をこのような入れ子式の構成に用いることもできる。
【００１６】
図５を参照すると、ヘッドピース５４が示されている。ヘッドピース５４は、一般的に、人間の頭とほぼ同じサイズの円形部分５６を具える。部分５６は、中央が開放したリングであっても良く、あるいは固体材料でできたディスク形状のピースであってもよい。例えば、楕円形、矩形、三角形、多角形、その他のといった、その他の構造又は形状をヘッドピース５４に用いることができる。
【００１７】
部分５６にネック５８が連結しており、ここから延在している。ネック５８は、支持部材１６の上側部分４０の筒状部材４６の上端内に収納されるサイズの筒状部材でできている。移動止め６０又はばね荷重ボール移動止めなどのその他の開放可能な係止デバイスをネック５８に設けるようにしても良い。移動止め６０を受ける一またはそれ以上の開口６２（図４）を筒状部材４６の上端に設けて、ヘッドピース５４の支持部材１６への係止あるいは連結を容易にするようにしても良い。筒状部材４６の上側端部の長さに沿って開口６２を設けて、ヘッドピース５４を高さを変えて配置できるようにしても良い。
【００１８】
図２を参照すると、フレーム部材６４が提供されている。フレーム部材６４は、弾力的で、フレキシブルなフープの形をしており、ほぼ拡張したフレーム領域を規定する拡張した状態にあるものが示されている。フレーム部材６４は、ばねスチールワイヤや、あるいは折りたたんだ形状に変形することができるその他の材料でできており、実質的に塑性または永久的な変形を伴うことなく拡張した形状に戻ることができる。折りたたんだ形状は、拡張したフレームの領域より小さい折りたたんだフレーム領域を規定する。折りたたまれたフレームの領域は、拡張したフレームの領域の二分の一、三分の一、四分の一、あるいはそれ以下であっても良い。一の実施例では、フレーム部材６４は、連続的なフープ部材であっても良く、フープ部材６４をねじることによって、二つあるいはより小さいフープに折りたたんで、互いに近接して配置するか、あるいはほぼ同軸に配置することができる。
【００１９】
本実施例に示すように、フレーム部材６４は一般的な四角形あるいは矩形の拡張した形状を有する。また、ほぼ直線状の側部エッジ６８によって連結される丸くなったかど部６６を具えていても良い。フレーム部材６４は、拡張した形状として楕円形、矩形、三角形、多角形、その他といった、その他の形状を有していても良い。ヘッドピース５４はフレーム部材６４と共に、人の頭および胴の前側プロファイルに近い形状をしたデバイス１２のフレームを形成している。
【００２０】
代替の実施例では、フレーム部材６４は、拡張した形状にあるときに、弾力的で、フレキシブルなフープ材料の一部分から形成されたヘッドピース部分を有する形状をしており、ヘッドピース５４などの、別体のヘッドピースを不要にしても良い。従って、フレーム部材６４は、人の頭部及び胴の前側プロファイルに略近い形である。
【００２１】
フレーム部材６４のカバーは、ファブリック被覆材料層７０である。ファブリック材料７０は、様々な方法でフレーム６４に取り付けることができるが、その周囲に沿ってフレーム部材６４を覆うあるいは囲む、シームまたはスリーブ７２を設けて、フレーム部材６４が拡張した形状にある場合にファブリックを広げるフレーム部材６４とする。ファブリック７０は、多数の小さな開口のあるメッシュ材料であって、この材料に空気を通過させるようにした材料を具えていても良い。一方の手がカバー材料７０を通るようなサイズのハンド開口７４をファブリック材料７０に設けるようにしても良い。開口７４は、フレーム部材７０が支持部材に連結されている場合に、支持部材１６の上にほぼ横たわるようにして、カバー７０を通って支持部材１６を容易につかめるようにしても良い。
【００２２】
また、カバー７０の材料と同じファブリック材料でできた下側スカート部７６が設けられている。スカート部７６は、フレーム６４の下端に連結あるいは取り付けられており、通常、フレーム６４の下側部エッジ６８に沿ってフレームカバー材料７０に連結されている。図に示す実施例では、このスカート部７６は、テーパが付いているか、あるいは下端に向けて幅が狭くなっており、支持部材１６がベース１８に連結されている場合に、スカート部７６の下端がベース１８近くで支持部材１６に取り付けられている。このことは、スカート部７６に縫い付けるあるいは取り付けられており、支持部材１６の周囲に係合または固着しているホックおよびループファスナ、あるいはベロクロ（登録商標）などの開放可能な取り付けデバイス７８によって実現される。
【００２３】
一またはそれ以上のホックおよびループファスナなどの追加の取り付けデバイス８０を、スカート部７６またはファブリックフレームカバー７０の長さに沿って支持部材１６に係合させて設けて、取付を容易にするようにしても良い。
【００２４】
ファブリックヘッドピース部８２が設けられており、これはスカート７６またはカバー７０と同じまたは同様のファブリック材料でできていても良い。部分８２は、フレーム６４の上側端部に連結され又は取り付けられており、ファブリックカバー７０に連結されている。ヘッドピース部８２は、開口８４を有するポケットを形成しても良く、ヘッドピース５４を収納するように構成することができる。ポケット部８２は、以下に更に述べるように、ファブリックで覆ったフレーム部材６２とファブリックスカート７６を収納して、保存するために使用することができる。
【００２５】
デバイス１２は、以下のような様々な部品から組み立てることができる。支持部材１６は、個々の部分４０、４２を互いに連結することによって組み立てる。これは、上側部分４０のスリーブ４８を下側部分４２の上端へ挿入することによって実現される。部分４０、４２は、移動止め５０を開口５２に整列させて、そこで受けるようにすることによって、互いに係合される。
【００２６】
支持部材１６は、次いでベース１８に連結することができる。ベース１８は、使用する競技場の所望の領域に最初に位置決めされる。支柱２０は、地面あるいはその他の支持媒体に挿入して、固定的に保持するようにする。クロスバー２２は、支柱２０の挿入を容易にするための、足置き用のステップまたは接触領域として作用する。次いで、支持部材１６の筒状部分４２の下端を、ベース内に挿入した係合部分３４を伴うベース１８の外側筒状部材３０の上に位置決めする。部材３０の移動止め３６を開口４４と整列させて開口４４で受けることによって、ベース１８と支持部材１６を互いに係止させる。
【００２７】
ファブリックカバー７０とスカート７６付の折りたたんだフレーム部材６４は、最初はポケット部８２内に保存されている。選択的に、最初に、ヘッドピース部５４もポケット８２内に保存しておくことができる。これらをポケット部８２から取り出す。
【００２８】
ネック５８を筒状部分４０の上端に挿入することによって、ヘッドピース５４を支持部材１６に連結する。ネック５８の移動止め６０を開口６２内で受けて、ヘッドピース５４を支持部材に係止させる。
【００２９】
カバー付きフレーム部材６４を、より小さいフープのひねりを解く、あるいはひねることによって、折りたたんだ形状から、完全に展開した形状に開く。ポケット部８２は、支持部材１６に固定されているヘッドピース５４の上に位置しており、フレーム部材６４とスカート部７６はポケット８２を用いて支持部材１６によって本質的に支持されている。又、ファスナあるいは取り付けデバイス７８、８０を、支持部材を支持部１６に係合させ、フレーム部材６４とスカート７６を支持部材１６に固定するのに使用する。
【００３０】
使用後は、デバイス１２をすばやくまた容易に分解して、折りたたみ、搬送と保存を容易にする。デバイス１２を分解するには、取り付けデバイス７８、８０を支持部材１６から取り外して、取り付けたフレーム６４とスカート７６を伴うポケット部８２をヘッドピース５４から離して持ち上げる。次いで、部材をより小さく重ね合わせるか、同心状ループにねじることによって、カバー付フレーム部材６４を折りたたむ。次いで、折りたたんだフレーム部材６４とスカート７６をポケット部８２に入れて、その中に保存する。
【００３１】
ヘッドピース５４は、移動止め６０を開口６２から取り外して摺動させ、支持部材１６から離すことによって、取り外すことができる。同様に、支持部材１６は、移動止め３６を開口４４から取り外して摺動させ、係合部３４から離すことによって、ベース１８から取り外すことができる。支持部材１６は、移動止め５０を開口５２からはずして、スリーブ４８を筒状部材４２の外へ摺動させることによっても分解することができる。
【００３２】
搬送ケースあるいはその他の容器（図示せず）をデバイス１２に設けて、様々な部品を便利に保持または保存することができる。
【００３３】
使用中は、デバイス１２を所望の領域に配置して、ほぼ人の頭部および胴の前側プロファイルの形をしたブロッキング壁あるいは障害物として使うことができる。このことによって、他のプレーヤは障害物あるいはブロッキング壁とならなくてもよくなり、このプレーヤたちがより受益のある活動に参加することができる。いくつかのデバイス１２を使用することができ、必要に応じて並べて、あるいはその他の構成で配置することができる。
【００３４】
デバイスは軽量であり、組み立て及び分解が容易で、大きなスペースをとることなく搬送あるいは保存が容易である。カバー７０に形成されている開口７４によって、ユーザが、カバーを通して略中央で支持部材１６をつかむことが可能である。従って、デバイスが組み立てた形状にある間に、いずれの側からでもデバイス１２をつかんで、場所から場所へと容易に搬送することができる。
【００３５】
本発明はいくつかの形式でのみ示されているが、当業者には、これに限定されることなく、本発明の範囲から離れることなく様々な変更および変形が可能であることは明らかである。従って、特許請求の範囲は広く、本発明の範囲に合致した態様で解釈されることは明らかである。
【図面の簡単な説明】
【００３６】
本発明をより完全に理解するために、添付の図面と共に以下の説明を参照する。
【図１】図１は、本発明によって構成された複数の障害物デバイスを用いた競技場を示す斜視図である。
【図２】図２は、図１に示すデバイスの一つの前側正面図である。
【図３Ａ】図３Ａは、図２のデバイスのベースの前側正面図である。
【図３Ｂ】図３Ｂは、図３Ａのベースの側面図である。
【図４】図４は、図２のデバイスの支持部材を示す正面図である。
【図５】図５は、図２のデバイスのヘッドピースの前側正面図である。
【図１】
2007515226.tif 000003
【図２】
2007515226.tif 000004
【図３Ａ】
2007515226.tif 000005
【図３Ｂ】
2007515226.tif 000006
【図４】
2007515226.tif 000007
【図５】
2007515226.tif 000008
【国際調査報告】
2007515226.tif 000009